【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
下記一般式（ＩＩ）で表される化合物。
【化１】
2010135819.tif 000001
一般式（ＩＩ）中、Ｘ２１、Ｘ２２、Ｘ２３、Ｘ２４、Ｘ２５、Ｘ２６、Ｘ２７及びＸ２８は、各々独立に炭素又は窒素から選択される原子を表し、Ｘ２１、Ｘ２２、Ｘ２３、Ｘ２４、Ｘ２５、Ｘ２６、Ｘ２７、及びＸ２８のいずれか１つは窒素原子を表す。Ｘ３１、Ｘ３２、Ｘ３３、Ｘ３４、及びＸ３５は、各々独立に炭素原子を表す。Ｘ２１、Ｘ２２、Ｘ２３、Ｘ２４、Ｘ２５、Ｘ２６、Ｘ２７、Ｘ２８、Ｘ３１、Ｘ３２、Ｘ３３、Ｘ３４、及びＸ３５がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ２１、Ｘ２２、Ｘ２３、Ｘ２４、Ｘ２５、Ｘ２６、Ｘ２７、Ｘ２８、Ｘ３１、Ｘ３２、Ｘ３３、Ｘ３４、及びＸ３５の内、隣り合う２つが有していてもよい前記基は互いに結合し、ベンゼン環を形成していてもよい。Ｌ２は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
【請求項２】
前記一般式（ＩＩ）が下記一般式（ＩＩＩ）で表される請求項１に記載の化合物。
【化２】
2010135819.tif 000002
一般式（ＩＩＩ）中、Ｘ４１、Ｘ４２、Ｘ４３、Ｘ４４、Ｘ４５、Ｘ４６、Ｘ４７及びＸ４８は、各々独立に炭素又は窒素から選択される原子を表し、Ｘ４１、Ｘ４２、Ｘ４３、及びＸ４４のいずれか１つは窒素原子を表す。Ｘ５１、Ｘ５２、Ｘ５３、Ｘ５４、及びＸ５５は、各々独立に炭素原子を表す。Ｘ４１、Ｘ４２、Ｘ４３、Ｘ４４、Ｘ４５、Ｘ４６、Ｘ４７、Ｘ４８、Ｘ５１、Ｘ５２、Ｘ５３、Ｘ５４、及びＸ５５がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ４１、Ｘ４２、Ｘ４３、Ｘ４４、Ｘ４５、Ｘ４６、Ｘ４７、Ｘ４８、Ｘ５１、Ｘ５２、Ｘ５３、Ｘ５４、及びＸ５５の内、隣り合う２つが有していてもよい前記基は互いに結合し、ベンゼン環を形成していてもよい。Ｌ３は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
【請求項３】
前記一般式（ＩＩＩ）が下記一般式（ＩＶ）で表される請求項２に記載の化合物。
【化３】
2010135819.tif 000003
一般式（ＩＶ）中、Ｘ６１、Ｘ６２、Ｘ６３、Ｘ６４、Ｘ６５、Ｘ６６、Ｘ６７、及びＸ６８は、各々独立に炭素又は窒素から選択される原子を表し、Ｘ６１、Ｘ６２、Ｘ６３、及びＸ６４のいずれか１つは窒素原子を表す。Ｘ６１、Ｘ６２、Ｘ６３、Ｘ６４、Ｘ６５、Ｘ６６、Ｘ６７、及びＸ６８がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ６１、Ｘ６２、Ｘ６３、Ｘ６４、Ｘ６５、Ｘ６６、Ｘ６７、及びＸ６８の内、隣り合う２つが有していてもよい前記基は互いに結合し、ベンゼン環を形成していてもよい。Ｒ６１、Ｒ６２、Ｒ６３、Ｒ６４、及びＲ６５は各々独立に水素原子、アルキル基、シクロアルキル基、アリール基、アミノ基、アルコキシ基、アリールオキシ基、シアノ基、フッ素原子又はヘテロ環を表し、Ｒ６１、Ｒ６２、Ｒ６３、Ｒ６４、及びＲ６５の内、隣り合う２つは互いに結合し、ベンゼン環を形成していてもよい。Ｌ４は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
【請求項４】
前記一般式（ＩＶ）が下記一般式（Ｖ）で表される請求項３に記載の化合物。
【化４】
2010135819.tif 000004
一般式（Ｖ）中、Ｘ７１、Ｘ７３、Ｘ７４、Ｘ７５、Ｘ７６、Ｘ７７、及びＸ７８は、各々独立に炭素又は窒素から選択される原子を表す。Ｘ７１、Ｘ７３、Ｘ７４、Ｘ７５、Ｘ７６、Ｘ７７、及びＸ７８がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ７１、Ｘ７３、Ｘ７４、Ｘ７５、Ｘ７６、Ｘ７７、及びＸ７８の内、隣り合う２つが有していてもよい前記基は互いに結合し、ベンゼン環を形成していてもよい。Ｒ７１、Ｒ７２、Ｒ７３、Ｒ７４、及びＲ７５は各々独立に水素原子、アルキル基、シクロアルキル基、アリール基、アミノ基、アルコキシ基、アリールオキシ基、シアノ基、フッ素原子又はヘテロ環を表し、Ｒ７１、Ｒ７２、Ｒ７３、Ｒ７４、及びＲ７５の内、隣り合う２つは互いに結合し、ベンゼン環を形成していてもよい。Ｌ５は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
【請求項５】
Ｘ２１〜Ｘ２８、Ｘ３１〜Ｘ３５、Ｘ４１〜Ｘ４８、Ｘ５１〜Ｘ５５、Ｘ６１〜Ｘ６８、及びＸ７１〜Ｘ７８がさらに置換可能な場合に有していてもよい前記基又は原子は、各々独立にメチル基、トリフルオロメチル基、フッ素原子、メトキシ基、アリール基、又はシアノ基であり、Ｒ６１〜Ｒ６５、及びＲ７１〜Ｒ７５は各々独立に水素原子、メチル基、フッ素原子、メトキシ基、アリール基又はシアノ基である請求項１〜４のいずれか１項に記載の化合物。
【手続補正２】
【補正対象書類名】明細書
【補正対象項目名】発明の名称
【補正方法】変更
【補正の内容】
【発明の名称】白金錯体
【手続補正３】
【補正対象書類名】明細書
【補正対象項目名】０００１
【補正方法】変更
【補正の内容】
【０００１】
本発明は有機電界発光素子（以下、「有機ＥＬ素子」ともいう）及び白金錯体に関するものであり、特に発光特性に優れる有機電界発光素子及び該有機電界発光素子に有用な白金錯体に関する。
【手続補正４】
【補正対象書類名】明細書
【補正対象項目名】０００５
【補正方法】変更
【補正の内容】
【０００５】
本発明の目的は、発光特性（発光量子効率、駆動電圧、耐久性）に優れる有機電界発光素子及び該有機電界発光素子に有用な白金錯体の提供にある。
【手続補正５】
【補正対象書類名】明細書
【補正対象項目名】０００６
【補正方法】変更
【補正の内容】
【０００６】
本発明者らは、上記課題を解決すべく検討した結果、一般式（Ｉ）で表される化合物を有機層に添加することにより、有機ＥＬ素子の発光量子効率が向上し、駆動電圧が低下し、耐久性の点で優れることを見出し、本発明に至った。すなわち、上記課題は下記の手段により解決することができた。
＜１＞  下記一般式（ＩＩ）で表される化合物。
【化５】
2010135819.tif 000005
一般式（ＩＩ）中、Ｘ２１、Ｘ２２、Ｘ２３、Ｘ２４、Ｘ２５、Ｘ２６、Ｘ２７及びＸ２８は、各々独立に炭素又は窒素から選択される原子を表し、Ｘ２１、Ｘ２２、Ｘ２３、Ｘ２４、Ｘ２５、Ｘ２６、Ｘ２７、及びＸ２８のいずれか１つは窒素原子を表す。Ｘ３１、Ｘ３２、Ｘ３３、Ｘ３４、及びＸ３５は、各々独立に炭素原子を表す。Ｘ２１、Ｘ２２、Ｘ２３、Ｘ２４、Ｘ２５、Ｘ２６、Ｘ２７、Ｘ２８、Ｘ３１、Ｘ３２、Ｘ３３、Ｘ３４、及びＸ３５がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ２１、Ｘ２２、Ｘ２３、Ｘ２４、Ｘ２５、Ｘ２６、Ｘ２７、Ｘ２８、Ｘ３１、Ｘ３２、Ｘ３３、Ｘ３４、及びＸ３５の内、隣り合う２つが有していてもよい前記基は互いに結合し、ベンゼン環を形成していてもよい。Ｌ２は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
＜２＞  前記一般式（ＩＩ）が下記一般式（ＩＩＩ）で表される上記＜１＞に記載の化合物。
【化６】
2010135819.tif 000006
一般式（ＩＩＩ）中、Ｘ４１、Ｘ４２、Ｘ４３、Ｘ４４、Ｘ４５、Ｘ４６、Ｘ４７及びＸ４８は、各々独立に炭素又は窒素から選択される原子を表し、Ｘ４１、Ｘ４２、Ｘ４３、及びＸ４４のいずれか１つは窒素原子を表す。Ｘ５１、Ｘ５２、Ｘ５３、Ｘ５４、及びＸ５５は、各々独立に炭素原子を表す。Ｘ４１、Ｘ４２、Ｘ４３、Ｘ４４、Ｘ４５、Ｘ４６、Ｘ４７、Ｘ４８、Ｘ５１、Ｘ５２、Ｘ５３、Ｘ５４、及びＸ５５がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ４１、Ｘ４２、Ｘ４３、Ｘ４４、Ｘ４５、Ｘ４６、Ｘ４７、Ｘ４８、Ｘ５１、Ｘ５２、Ｘ５３、Ｘ５４、及びＸ５５の内、隣り合う２つが有していてもよい前記基は互いに結合し、ベンゼン環を形成していてもよい。Ｌ３は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
＜３＞  前記一般式（ＩＩＩ）が下記一般式（ＩＶ）で表される上記＜２＞に記載の化合物。
【化７】
2010135819.tif 000007
一般式（ＩＶ）中、Ｘ６１、Ｘ６２、Ｘ６３、Ｘ６４、Ｘ６５、Ｘ６６、Ｘ６７、及びＸ６８は、各々独立に炭素又は窒素から選択される原子を表し、Ｘ６１、Ｘ６２、Ｘ６３、及びＸ６４のいずれか１つは窒素原子を表す。Ｘ６１、Ｘ６２、Ｘ６３、Ｘ６４、Ｘ６５、Ｘ６６、Ｘ６７、及びＸ６８がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ６１、Ｘ６２、Ｘ６３、Ｘ６４、Ｘ６５、Ｘ６６、Ｘ６７、及びＸ６８の内、隣り合う２つが有していてもよい前記基は互いに結合し、ベンゼン環を形成していてもよい。Ｒ６１、Ｒ６２、Ｒ６３、Ｒ６４、及びＲ６５は各々独立に水素原子、アルキル基、シクロアルキル基、アリール基、アミノ基、アルコキシ基、アリールオキシ基、シアノ基、フッ素原子又はヘテロ環を表し、Ｒ６１、Ｒ６２、Ｒ６３、Ｒ６４、及びＲ６５の内、隣り合う２つは互いに結合し、ベンゼン環を形成していてもよい。Ｌ４は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
＜４＞  前記一般式（ＩＶ）が下記一般式（Ｖ）で表される上記＜３＞に記載の化合物。
【化８】
2010135819.tif 000008
一般式（Ｖ）中、Ｘ７１、Ｘ７３、Ｘ７４、Ｘ７５、Ｘ７６、Ｘ７７、及びＸ７８は、各々独立に炭素又は窒素から選択される原子を表す。Ｘ７１、Ｘ７３、Ｘ７４、Ｘ７５、Ｘ７６、Ｘ７７、及びＸ７８がさらに置換可能な場合は各々独立にアルキル基、シクロアルキル基、アリール基、アミノ基、アルコキシ基、アリールオキシ基、シアノ基、フッ素原子、ヘテロ環又はトリフルオロメチル基を有していてもよく、Ｘ７１、Ｘ７３、Ｘ７４、Ｘ７５、Ｘ７６、Ｘ７７、及びＸ７８の内、隣り合う２つが有していてもよい前記基は互いに結合し、ベンゼン環を形成していてもよい。Ｒ７１、Ｒ７２、Ｒ７３、Ｒ７４、及びＲ７５は各々独立に水素原子、アルキル基、シクロアルキル基、アリール基、アミノ基、アルコキシ基、アリールオキシ基、シアノ基、フッ素原子又はヘテロ環を表し、Ｒ７１、Ｒ７２、Ｒ７３、Ｒ７４、及びＲ７５の内、隣り合う２つは互いに結合し、ベンゼン環を形成していてもよい。Ｌ５は−Ｃ（Ｒ８１）（Ｒ８２）−を表し、Ｒ８１及びＲ８２は各々独立に、アルキル基又はアリール基を表す。白金原子と窒素原子の結合を表す破線は配位結合を表し、白金原子と炭素原子の結合を表す実線は共有結合を表す。
＜５＞  Ｘ２１〜Ｘ２８、Ｘ３１〜Ｘ３５、Ｘ４１〜Ｘ４８、Ｘ５１〜Ｘ５５、Ｘ６１〜Ｘ６８、及びＸ７１〜Ｘ７８がさらに置換可能な場合に有していてもよい前記基又は原子は、各々独立にメチル基、トリフルオロメチル基、フッ素原子、メトキシ基、アリール基、又はシアノ基であり、Ｒ６１〜Ｒ６５、及びＲ７１〜Ｒ７５は各々独立に水素原子、メチル基、フッ素原子、メトキシ基、アリール基又はシアノ基である上記＜１＞〜＜４＞のいずれか１項に記載の化合物。
尚、本発明は、上記＜１＞〜＜５＞に係る発明であるが、以下、その他についても参考のため記載した。
【手続補正６】
【補正対象書類名】明細書
【補正対象項目名】０２２８
【補正方法】変更
【補正の内容】
【０２２８】
以下に本発明を実施例に基づき詳細に説明するが、本発明の実施の態様はこれらに限定されない。尚、実施例１−１、１−１４、２−１及び２−７は、参考例１−１、１−１４、２−１及び２−７と読み替えるものとする。